(57)【要約】【課題】中年齢者から高齢者と幅広い年齢層への処方に対応するハイブリット型の多焦点眼用レンズを提供すること。【解決手段】光軸を含む中央部に形成された回折面構造と、中央部を囲う周囲部に形成された屈折面構造と少なくとも一面に有する多焦点眼用レンズにおいて、入射光束を分割して遠方視側集光点と近方視側集光点にそれぞれ集光する回折作用を回折面構造に付与し、屈折面構造を曲率の異なる複数の屈折面領域で構成し、複数の屈折面領域が中央部を囲う円環形状を有し、最も中央部側の屈折面領域に、入射光束を遠方視側集光点に集光する遠方度数を付与する。【選択図】図４
2014032212.tif 000002
【特許請求の範囲】
【請求項１】
光軸を含む中央部に形成された回折面構造と、
前記中央部を囲う周囲部に形成された屈折面構造と、
を少なくとも一面に有し、
前記回折面構造は、入射光束を分割して遠方視側集光点と近方視側集光点にそれぞれ集光し、
前記屈折面構造は、曲率の異なる複数の屈折面領域を有し、
前記複数の屈折面領域は、前記中央部を囲う円環形状を有し、
最も前記中央部側の前記屈折面領域は、前記入射光束を前記遠方視側集光点に集光する遠方度数が付与されていることを特徴とする多焦点眼用レンズ。
【請求項２】
前記中央部と前記周囲部との境界と前記光軸との距離をａと定義し、有効径をｂと定義した場合、次の条件式（１）
0.29≦  ａ／ｂ  ≦0.50        （１）
を満たすことを特徴とする、請求項１に記載の多焦点眼用レンズ。
【請求項３】
前記回折面構造は、前記光軸を中心とした少なくとも１つの輪帯状の段差を有し、
前記回折面構造の最も前記周囲部側に形成された前記段差と前記光軸との距離をａ’と定義し、有効径をｂと定義した場合、次の条件式（２）
0.25≦  ａ’／ｂ  ≦0.47        （２）
を満たすことを特徴とする、請求項１に記載の多焦点眼用レンズ。
【請求項４】
各前記屈折面領域の幅をＨと定義した場合、次の条件式（３）
0.040≦  Ｈ／ｂ        （３）
を満たすことを特徴とする、請求項１から請求項３の何れか一項に記載の多焦点眼用レンズ。
【請求項５】
前記中央部から離れた前記屈折面領域ほど幅が広いことを特徴とする、請求項１から請求項４の何れか一項に記載の多焦点眼用レンズ。
【請求項６】
少なくとも３つの屈折面領域を有し、
前記３つの屈折面領域は、前記中央部側から順に、前記遠方度数、前記入射光束を前記近方視側集光点に集光する近方度数、該遠方度数が付与されていることを特徴とする、請求項１から請求項５の何れか一項に記載の多焦点眼用レンズ。
【発明の詳細な説明】
【技術分野】
【０００１】
本発明は、眼に処方する遠近両用の多焦点眼用レンズに関する。
【背景技術】
【０００２】
白内障の治療を目的として、混濁した水晶体を摘出して眼内レンズ（Intraocular Lens, IOL）を挿入する手術が普及している。この種の手術において、水晶体の摘出によって失われる調整力を補う場合は、多焦点眼内レンズを挿入する。多焦点眼内レンズには、遠方度数又は近方度数をエリア毎に付与した屈折型や、遠方度数と近方度数に配分する回折構造型があり、集光点が光軸方向に複数（遠方視、近方視）に分割されている。すなわち、多焦点眼内レンズは、レンズ装用者が日常生活を眼鏡無しで送れるように、遠方視と近方視の何れの集光点においても視力を確保するデザインとなっている。この種の多焦点眼内レンズの具体的構成例は、特許文献１〜３に記載されている。
【０００３】
特許文献１には、レンズ面が少なくとも５つの光学ゾーンに分割された屈折型多焦点レンズが記載されている。この種の屈折型多焦点眼内レンズは、主に近方視の見え方がレンズ装用者の瞳孔径に依存して大きく変わるという問題を抱えている。例えば特許文献１に記載の屈折型多焦点眼内レンズの装用者が晴天時に屋外にいる場合を考える。この場合、レンズ装用者の瞳孔径が絞られて、眼内レンズに入射する光束径が最大でも第２ゾーンの一部までに制限されると考えられる。レンズ装用者は、主に遠方視用の光学ゾーンしか利用できないため、近方視することが難しい。
【０００４】
特許文献２には、レンズの片面全面にブレーズ型の回折構造を形成した回折構造型多焦点眼内レンズが記載されている。回折構造型多焦点眼内レンズには、瞳孔径に依存して近方視や遠方視の見え方が変わるという問題が生じない。しかし、回折構造型多焦点眼内レンズは、コントラストが低下するという問題を抱えている。例えば特許文献２に記載の回折構造型多焦点眼内レンズは、入射光量の約８０％を遠方度数と近方度数に配分し利用する。ところが、残りの約２０％は、視野の広範囲に広がるノイズ（フレア）となり、コントラストを低下させる。特に、夜間等の暗所視において街灯や車のヘッドライト等の明るい光源が視野内にある場合は光源のフレアが視野全体に広がり、ホワイトアウトのような視界一面が真っ白で何も見えない状況になる虞がある。
【０００５】
特許文献３には、レンズの片面中央部にアポダイズ回折構造を形成し、該回折構造の周囲部に回折構造を持たない回折構造型多焦点眼内レンズが記載されている。特許文献３に記載の回折構造型多焦点眼内レンズでは、特許文献１に記載されている屈折型多焦点レンズのような瞳孔径が小さく絞られた際に近方視することが難しいという状況はレンズ中央部の回折構造の存在によって生じない。しかし、瞳孔径が大きくなる夜間で近方視が難しくなるという問題がある。すなわち、レンズの片面中央部の回折構造の周囲部は単純な屈折面形状であり、遠方度数のみを有している。そのため、暗所視におけるフレアの発生が抑えられ、瞳孔径が大きくなる夜間において遠方視は良好である。しかし、近方視は光量不足となるため、視力低下が大きくなる。
【先行技術文献】
【特許文献】
【０００６】
【特許文献１】特許第３１９５３８６号公報
【特許文献２】米国特許出願公開第２００６／００９８１６３号明細書
【特許文献３】特開２００８−４３７５２号公報
【発明の概要】
【発明が解決しようとする課題】
【０００７】
本発明者は、特許文献３で想定される上記問題を解決すべく、レンズ中央部に形成された回折構造の周囲部に曲率の異なる２つ（遠方度数、近方度数）のゾーンを持つ屈折型構造を形成することを着想した。以下、説明の便宜上、回折構造の周囲部に屈折型構造を形成した眼内レンズをハイブリット型多焦点眼内レンズと記す。ハイブリット型多焦点眼内レンズは、瞳孔径が大きくなる夜間において遠方視と近方視の何れにおいても光量が確保されて良好な視界が保たれると考えられる。
【０００８】
しかし、ハイブリット型多焦点眼内レンズでは、回折構造と屈折型構造の配分を適切に設定しないと両者の利点が十分に生かせない虞がある。例えば回折構造の配分が大きすぎると視野の広範囲に広がるノイズが十分に抑えきれず、夜間の歩行や車の運転等に支障をきたす虞がある。そして、暗所視における最大瞳孔径は一般に年齢と共に小さくなり、例えば６０代ではφ４ｍｍ程度まで、７０代ではφ３ｍｍ程度までしか開かないといわれている。そのため、屈折型構造の配分が大きすぎると特に高齢者では多焦点化が不十分となり近方視が難しくなるという虞がある。
【０００９】
本発明は上記の事情に鑑みてなされたものであり、その目的とするところは最大瞳孔径が比較的大きい中年齢者でも、最大瞳孔径が小さい高齢者であっても処方に適したハイブリット型の多焦点眼用レンズを提供することである。なお、本発明は眼内レンズに限らずコンタクトレンズ等の別形態の眼用のレンズにも適用することができる。そのため、上記においては多焦点「眼用」レンズと記している。
【課題を解決するための手段】
【００１０】
上記の課題を解決する本発明の一形態に係る多焦点眼用レンズは、光軸を含む中央部に形成された回折面構造と、中央部を囲う周囲部に形成された屈折面構造とを少なくとも一面に有している。回折面構造は、入射光束を分割して遠方視側集光点と近方視側集光点にそれぞれ集光する。屈折面構造は、曲率の異なる複数の屈折面領域を有している。複数の屈折面領域は、中央部を囲う円環形状を有している。最も中央部側の屈折面領域は、入射光束を遠方視側集光点に集光する遠方度数が付与されている。
【００１１】
本発明に係る多焦点眼用レンズによれば、中間的又は大きな瞳孔径においても遠方視及び近方視でバランス良く光量が確保されるため、中年齢から高齢の白内障患者等への処方に好適である。
【００１２】
本発明に係る多焦点眼用レンズは、瞳孔径によらず多焦点化をより確実に達成すると共にフレアによるコントラストの低下を抑えるため、中央部と周囲部との境界と光軸との距離をａと定義し、有効径をｂと定義した場合、次の条件式（１）
0.29≦  ａ／ｂ  ≦0.50        （１）
を満たす構成としてもよい。
【００１３】
回折面構造は、例えば光軸を中心とした少なくとも１つの輪帯状の段差を有している。本発明に係る多焦点眼用レンズは、瞳孔径によらず多焦点化をより確実に達成すると共にフレアによるコントラストの低下を抑えるため、回折面構造の最も周囲部側に形成された段差と光軸との距離をａ’と定義し、有効径をｂと定義した場合、次の条件式（２）
0.25≦  ａ’／ｂ  ≦0.47        （２）
を満たす構成としてもよい。
【００１４】
本発明に係る多焦点眼用レンズは、瞳孔径に依存した遠方度数と近方度数の配分光量の変化と回折の影響による結像性能の劣化を共に抑えるため、各屈折面領域の幅をＨと定義した場合、次の条件式（３）
0.040≦  Ｈ／ｂ        （３）
を満たす構成としてもよい。
【００１５】
本発明に係る多焦点眼用レンズは、瞳孔径に依存した遠方度数と近方度数の配分光量の変化を抑えるため、中央部から離れた屈折面領域ほど幅が広くなるように構成されてもよい。
【００１６】
本発明に係る多焦点眼用レンズは、少なくとも３つの屈折面領域を有した構成としてもよい。３つの屈折面領域は、例えば、中央部側から順に、遠方度数、入射光束を近方視側集光点に集光する近方度数、該遠方度数が付与されている。
【発明の効果】
【００１７】
本発明によれば、中年齢者から高齢者への処方に適したハイブリット型の多焦点眼用レンズが提供される。
【図面の簡単な説明】
【００１８】
【図１】本発明の実施形態（実施例１）のハイブリット型多焦点眼内レンズの概略構成を示すレンズ断面図である。
【図２】本発明の実施例１のハイブリット型多焦点眼内レンズの第一面の断面構造図、上面図である。
【図３】図２（ａ）に示す断面構造から遠方度数の曲率成分を差し引いて表現した断面構造図である。
【図４】本発明の実施例１のハイブリット型多焦点眼内レンズの遠方度数と近方度数の光量配分比を示す図である。
【図５】本発明の実施例２のハイブリット型多焦点眼内レンズの概略構成を示すレンズ断面図である。
【図６】本発明の実施例２のハイブリット型多焦点眼内レンズの第一面の断面構造図、上面図である。
【図７】図６（ａ）に示す断面構造から遠方度数の曲率成分を差し引いて表現した断面構造図である。
【図８】本発明の実施例２のハイブリット型多焦点眼内レンズの遠方度数と近方度数の光量配分比を示す図である。
【図９】本発明の実施例３のハイブリット型多焦点眼内レンズの概略構成を示すレンズ断面図である。
【図１０】本発明の実施例３のハイブリット型多焦点眼内レンズの第一面の断面構造図、上面図である。
【図１１】図１０（ａ）に示す断面構造から遠方度数の曲率成分を差し引いて表現した断面構造図である。
【図１２】本発明の実施例３のハイブリット型多焦点眼内レンズの遠方度数と近方度数の光量配分比を示す図である。
【発明を実施するための形態】
【００１９】
以下、図面を参照して、本発明の実施形態のハイブリット型多焦点眼内レンズについて説明する。
【００２０】
図１は、本発明の実施形態のハイブリット型多焦点眼内レンズ１の概略構成を示すレンズ断面図である。ハイブリット型多焦点眼内レンズ１は、外径ＯＤを持ち、光軸ＡＸを中心とした回転対称形状を有している。ハイブリット型多焦点眼内レンズ１の材料には、シリコーン、アクリル樹脂、Hydroxyethyl Methacrylate（ＨＥＭＡ）等が挙げられる。
【００２１】
ハイブリット型多焦点眼内レンズ１は、第一面Ｒ１、第二面Ｒ２を有している。ハイブリット型多焦点眼内レンズ１の装用時、第一面Ｒ１は物体側に位置し、第二面Ｒ２は像側に位置する。
【００２２】
第一面Ｒ１の中央部（光軸ＡＸを中心とした円状領域）には、回折構造を持つ回折部ＤＩＦが形成されている。回折部ＤＩＦは、入射光束を分割して遠方視側集光点と近方視側集光点にそれぞれ集光する。回折部ＤＩＦの回折構造は、例えば鋸歯形状を有するブレーズ型回折構造であり、次の光路差関数φ（ｈ）で表される。光路差関数φ（ｈ）は、回折部ＤＩＦの回折レンズとしての機能を光軸からの高さｈにおける光路長付加量の形で表現した関数であり、輪帯構造における各段差の設置位置を規定する。光路差関数φ（ｈ）は、二次、四次、六次、・・・の光路差関数係数をそれぞれＰ２、Ｐ４、Ｐ６、・・・と定義し、波長λの光の回折効率が最大となる回折次数をｍと定義した場合に、次の式により表される。なお、本実施形態のハイブリット型多焦点眼内レンズ１は、１次の回折次数（ｍ＝１）を用いて近方視のための加入度数を付加し、１次回折光と遠方度数の０次回折光の回折効率をｅ線において一定範囲内にバランスさせるように設計されている。
φ(h)=(P2h2+P4h4+P6h6+P8h8+P10h10+P12h12)mλ
【００２３】
回折部ＤＩＦの周囲部（回折部ＤＩＦの最外周縁からハイブリット型多焦点眼内レンズ１の有効径の最外周縁までの領域）には、屈折部ＲＥＦが形成されている。屈折部ＲＥＦは、回折部ＤＩＦと同心の円環状の屈折面領域を複数有している。各屈折面領域は、互いに異なる曲率の屈折面を持ち、入射光束を遠方視側又は近方視側の何れか一方の集光点に集光する。
【００２４】
第二面Ｒ２は、球面である。第二面Ｒ２は、収差補正のため非球面としてもよい。
【００２５】
本件特許出願時の当該分野の技術常識に基づいて寸法を決定し設計されたハイブリット型多焦点眼内レンズ１を装用した場合、φ３〜４ｍｍ程度の中間的な瞳孔径では、屈折部ＲＥＦの最も内側の屈折面領域（以下、便宜上、「最内屈折面領域」と記す。）まで物体光が入射すると考えられる。そこで、本実施形態のハイブリット型多焦点眼内レンズ１は、最内屈折面領域に遠方度数を付与している。中間的な瞳孔径では、回折部ＤＩＦを透過した光束に加えて最内屈折面領域を透過した光束も遠方視側集光点に集光する。遠方視で光量が近方視よりやや多め程度にバランスされるため、最大瞳孔径がφ３〜４ｍｍ程度の高齢の白内障患者等に処方した場合でも夜間の遠方視及び近方視が良好に保たれる。
【００２６】
ハイブリット型多焦点眼内レンズ１は、回折部ＤＩＦの直径（回折部ＤＩＦと屈折部ＲＥＦとの境界と光軸ＡＸとの距離）をａと定義し、有効径をｂと定義した場合、次の条件式（１）
0.29≦  ａ／ｂ  ≦0.50        （１）
を満たす構成としてもよい。又は、回折部ＤＩＦの最も外側に形成された輪帯段差の直径（当該輪帯段差と光軸ＡＸとの距離）をａ’と定義した場合に、次の条件式（２）
0.25≦  ａ’／ｂ  ≦0.47        （２）
を満たす構成としてもよい。有効径ｂは、外径ＯＤ又は屈折部ＲＥＦの最外周径とほぼ等しく、一般に眼内レンズの場合はφ６ｍｍ程度となる。
【００２７】
６０代の高齢者は瞳孔径がφ２〜４ｍｍ程度しかなく、７０代ではφ２〜３ｍｍ程度しかないといわれている。このような瞳孔径変化が小さい高齢者等の処方に対応するためには、この範囲で遠方視側及び近方視側の光量をバランスさせかつ瞳孔径による変化を小さく保つ多焦点化が求められる。一般的な若年者の最大瞳孔径φ７ｍｍのときを有効径ｂとし、上記瞳孔径φ２〜４ｍｍをａとした場合、
２／７＜ａ／ｂ＜３／７  ＝0.29＜ａ／ｂ＜0.43  （７０代）
２／７＜ａ／ｂ＜４／７  ＝0.29＜ａ／ｂ＜0.57  （６０代）
が成り立つ。
【００２８】
高齢者等の瞳孔径で多焦点化をより確実に達成するためには、回折部ＤＩＦを大径化するのが最も確実かつ簡易な解決方法である。そのため、近年、高齢者の白内障手術において多焦点眼内レンズを処方する場合、屈折型より回折構造型の多焦点眼内レンズを選択することが多い。しかし、回折部ＤＩＦの直径が大きいほどフレアによるコントラストの低下が目立つ。特に最大瞳孔径がφ４〜５ｍｍの５０〜６０代の年齢層では、フレアの影響は決して小さくない。そこで、条件式（１）は、高齢者等の瞳孔径で多焦点化をより確実に達成すると共にフレアによるコントラストの低下を抑えるため、上記の通りに設定されている。条件式（２）は、条件式（１）の回折部ＤＩＦの直径ａを輪帯段差の直径ａ’に置き換えただけであり、技術的思想としては条件式（１）と実質的に同じである。
【００２９】
条件式（１）又は（２）の上限を上回ると、フレアによるコントラストの低下が大きくなり視界不良を招く。条件式（１）又は（２）の下限を下回ると、小さい瞳孔径に対しても回折部ＤＩＦの面積が小さく、十分な多焦点効果が得られない。
【００３０】
ハイブリット型多焦点眼内レンズ１は、屈折部ＲＥＦの各屈折面領域の幅をＨｎ（ｎは２以上の自然数）と定義した場合、次の条件式（３）
0.040≦  Ｈｎ／ｂ        （３）
を満たす構成としてもよい。なお、以降においては、説明の便宜上、回折部ＤＩＦを「第１ゾーン」、最内屈折面領域を「第２ゾーン」、最内屈折面領域の外側の屈折面領域を内側の屈折面領域から順に「第３ゾーン」、「第４ゾーン」、・・・とも記す。条件式（３）においては、第２ゾーン、第３ゾーン、第４ゾーン・・・の各幅に符号Ｈ２、Ｈ３、Ｈ４が付される。
【００３１】
屈折部ＲＥＦの各ゾーン幅が狭いほど瞳孔径に依存した遠方度数と近方度数の配分光量の変化が小さくなる点で有利である。しかし、ゾーン幅が狭いほど透過周波数特性がゾーンの直径で決まる特定の周波数により一層収束して、屈折面領域であっても回折の影響による結像性能の劣化が大きくなる。そこで、条件式（３）は、瞳孔径に依存した配分光量の変化と回折の影響による結像性能の劣化を共に抑えるため、上記の通りに設定されている。
【００３２】
条件式（３）の上限を上回ると、瞳孔径に依存した配分光量の変化が大きい。条件式（３）の下限を下回ると、回折の影響が急激に増加して結像性能が著しく劣化する。
【００３３】
ところで、瞳孔径に依存した配分光量比は、入射光束径の全面積を分母とし、その内側にある遠方度数又は近方度数のゾーンの面積を分子とした値で近似的に求められる。（但し、第１ゾーンは面積に回折効率を乗じた値とする。）この計算では、瞳孔径が大きくなるほど分母の値が大きくなる。そのため、分子の値を外側のゾーンほど大きくしなければ配分光量比の変化を一定範囲内に抑えることができない。そこで、ハイブリット型多焦点眼内レンズ１は、屈折部ＲＥＦの外側のゾーンほどゾーン幅が大きくなるように構成されてもよい。
【００３４】
屈折部ＲＥＦは、少なくとも３ゾーンを有した構成としてもよい。例えば遠方度数が付与された第２ゾーンの外側の第３ゾーンに近方度数を付与し、第３ゾーンの外側の第４ゾーンに遠方度数を付与してもよい。
【００３５】
次に、これまで説明したハイブリット型多焦点眼内レンズ１の具体的数値実施例を３例説明する。本発明の実施例１〜３のハイブリット型多焦点眼内レンズ１は、何れも第１〜４ゾーンを有している。第２、３、４ゾーンにはそれぞれ、遠方度数、近方度数、遠方度数が付与されている。第二面Ｒ２は球面である。水中における遠方度数は２０Ｄｐｔｒに設定されている。
【実施例１】
【００３６】
本実施例１のハイブリット型多焦点眼内レンズ１の概略的なレンズ断面図は、図１に示される通りである。本実施例１のハイブリット型多焦点眼内レンズ１の第一面Ｒ１の具体的数値構成は、表１に示される通りである。
【００３７】
【表１】
2014032212.tif 000003
【００３８】
本実施例１のハイブリット型多焦点眼内レンズ１の第一面Ｒ１以外の具体的数値構成は、次に示される通りである。
第二面Ｒ２の曲率＝−１３．２４
中心厚（光軸ＡＸ上の光学部材厚）Ｄ＝０．７０
ｅ線に対する屈折率ｎｅ＝１．４９３７９
ｅ線に対するアッベ数νｅ=５７．６９
有効径ｂ=６．０
水中における近方度数＝２３．５Ｄｐｔｒ
【００３９】
図２（ａ）、（ｂ）はそれぞれ、本実施例１のハイブリット型多焦点眼内レンズ１の第一面Ｒ１の断面構造図、上面図を示す。図２（ａ）の縦軸はサグ量（単位：ｍｍ）を示し、横軸はレンズ半径（単位：ｍｍ）を示す。図２（ｂ）の縦軸と横軸は互いに直交するレンズ半径（単位：ｍｍ）を示す。図２（ｂ）中、第一面Ｒ１上の実線は第１ゾーンに形成された輪帯段差を示し、第一面Ｒ１上の二点差線は第１〜４の各ゾーンの境界を示す。
【００４０】
図３は、図２（ａ）に示す断面構造から遠方度数（＝２０Ｄｐｔｒ）の曲率成分を差し引いて表現した断面構造図を示す。図３の縦軸はサグ量（単位：ｍｍ）を示し、横軸はレンズ半径（単位：ｍｍ）を示す。図３中、遠方度数の曲率成分が差し引かれた第１ゾーンには、近方度数に寄与する典型的な鋸歯形状が残る。第１ゾーンの破線で示される曲線は、第１ゾーンの微細形状のベースとなる曲率半径Ｒから遠方度数の曲率成分を差し引いた形状を示す。遠方度数が付与された第２、４ゾーンはパワーが差し引かれたため、平面化される。第３ゾーンは、近方度数から遠方度数を差し引いた加入度数を示す傾斜面となる。
【００４１】
図４は、本実施例１のハイブリット型多焦点眼内レンズ１のレンズ半径に応じた遠方度数と近方度数の光量配分比を示す。図４の縦軸は全光量に対する遠方度数又は近方度数の光量比（単位：％）を示し、横軸はレンズ径（単位：ｍｍ）を示す。図４中、遠方度数と近方度数の光量配分比が共に一定の領域が第１ゾーンに対応する。遠方度数の光量配分比が増加（別の側面によれば近方度数の光量配分比が減少）する領域が第２、４ゾーンに対応する。近方度数の光量配分比が増加（別の側面によれば遠方度数の光量配分比が減少）する領域が第３ゾーンに対応する。図４に示されるように、第１ゾーンの遠方度数と近方度数の光量配分比を加算すると８０％程度である。残りの約２０％は主にフレアである。本出願人は、光量配分比が３０％を下回ると、視力が急激に低下することを見出した。そのため、第２〜４ゾーンの幅は、遠方度数と近方度数の光量配分比が何れも３０〜６０％の範囲にほぼ収まるように設定されている。
【００４２】
なお、実施例１の各図及び表についての説明は、以降の実施例で提示される各図及び表においても適用される。
【実施例２】
【００４３】
図５は、本実施例２のハイブリット型多焦点眼内レンズ１の概略構成を示すレンズ断面図である。本実施例２のハイブリット型多焦点眼内レンズ１の第一面Ｒ１の具体的数値構成は、表２に示される通りである。
【００４４】
【表２】
2014032212.tif 000004
【００４５】
本実施例２のハイブリット型多焦点眼内レンズ１の第一面Ｒ１以外の具体的数値構成は、次に示される通りである。本実施例２のハイブリット型多焦点眼内レンズ１は、本実施例１と比べて第１ゾーンの輪帯段差が狭いピッチで設けられると共に第３ゾーンの曲率が大きいため、近方度数が本実施例１よりも強い。
第二面Ｒ２の曲率＝−１３．２４
中心厚（光軸ＡＸ上の光学部材厚）Ｄ＝０．７０
ｅ線に対する屈折率ｎｅ＝１．４９３７９
ｅ線に対するアッベ数νｅ=５７．６９
有効径ｂ=６．０
水中における近方度数＝２４．５Ｄｐｔｒ
【００４６】
図６（ａ）、（ｂ）はそれぞれ、本実施例２のハイブリット型多焦点眼内レンズ１の第一面Ｒ１の断面構造図、上面図を示す。図７は、図６（ａ）に示す断面構造から遠方度数（＝２０Ｄｐｔｒ）の曲率成分を差し引いて表現した断面構造図を示す。図８は、本実施例２のハイブリット型多焦点眼内レンズ１のレンズ半径に応じた遠方度数と近方度数の光量配分比を示す。
【実施例３】
【００４７】
図９は、本実施例３のハイブリット型多焦点眼内レンズ１の概略構成を示すレンズ断面図である。本実施例３のハイブリット型多焦点眼内レンズ１の第一面Ｒ１の具体的数値構成は、表３に示される通りである。
【００４８】
【表３】
2014032212.tif 000005
【００４９】
本実施例３のハイブリット型多焦点眼内レンズ１の第一面Ｒ１以外の具体的数値構成は、次に示される通りである。本実施例３のハイブリット型多焦点眼内レンズ１は、第１ゾーンで発生するフレアの抑制と暗所視等の瞳孔径が大きい状況での遠方視の確保の両方を重視した設計となっている。具体的には、本実施例３のハイブリット型多焦点眼内レンズ１は、本実施例１や２と比べて第１ゾーンが小さいと共に第４ゾーンの幅が広い。
第二面Ｒ２の曲率＝−１３．２４
中心厚（光軸ＡＸ上の光学部材厚）Ｄ＝０．７０
ｅ線に対する屈折率ｎｅ＝１．４９３７９
ｅ線に対するアッベ数νｅ=５７．６９
有効径ｂ=６．０
水中における近方度数＝２４．５Ｄｐｔｒ
【００５０】
図１０（ａ）、（ｂ）はそれぞれ、本実施例３のハイブリット型多焦点眼内レンズ１の第一面Ｒ１の断面構造図、上面図を示す。図１１は、図１０（ａ）に示す断面構造から遠方度数（＝２０Ｄｐｔｒ）の曲率成分を差し引いて表現した断面構造図を示す。図１２は、本実施例３のハイブリット型多焦点眼内レンズ１のレンズ半径に応じた遠方度数と近方度数の光量配分比を示す。
【００５１】
（まとめ）
本実施例１〜３のハイブリット型多焦点眼内レンズ１は、図４、８、１２に示されるように、φ３〜４ｍｍ程度の中間的な瞳孔径においても遠方視及び近方視で光量が適切に確保される。そのため、本実施例１〜３のハイブリット型多焦点眼内レンズ１は、高齢の白内障患者等への処方にも十分に対応可能である。また、φ３〜４ｍｍ付近に近方視の第３ゾーンを配置することで、最大瞳孔径が比較的大きい中年齢者における暗所視時においても遠方視及び近方視で光量が適切に確保される。さらに本実施例３においては、図１０及び１１に示されるように、中央回折部である第１ゾーンを必要最小限とすることにより、回折によるフレアが極めて小さく抑えられている。そのため、特に暗所視時でのコントラストが高く保たれている。
【００５２】
表４は、本実施例１〜３において条件式（１）〜（３）を適用したときに算出される値の一覧表である。表４に示されるように、本実施例１〜３のハイブリット型多焦点眼内レンズ１は、条件式（１）〜（３）を全て満たす。そのため、本実施例１〜３のハイブリット型多焦点眼内レンズ１は、中間的な瞳孔径での多焦点化が達成されると共にフレアによるコントラストの低下が抑えられている（条件式（１）又は（２）を満たすことによる効果）。本実施例１〜３のハイブリット型多焦点眼内レンズ１は、更に、瞳孔径に依存した配分光量の変化と屈折面領域における回折の影響による結像性能の劣化も同時に抑えられている（条件式（３）を満たすことによる効果）。
【００５３】
【表４】
2014032212.tif 000006
【００５４】
以上が本発明の実施形態の説明である。本発明は、上記の構成に限定されるものではなく、本発明の技術的思想の範囲において様々な変形が可能である。例えば本実施形態のハイブリット型多焦点眼内レンズ１は、コンタクトレンズにも適用することができる。コンタクトレンズは、例えばメニスカス形状であり、物体側面又は像側面の少なくとも一方に第１〜４ゾーンに相当する領域を有する。
【符号の説明】
【００５５】
１  ハイブリット型多焦点眼内レンズ
ＤＩＦ  回折部
ＲＥＦ  屈折部
【図１】
2014032212.tif 000007
【図２】
2014032212.tif 000008
【図３】
2014032212.tif 000009
【図４】
2014032212.tif 000010
【図５】
2014032212.tif 000011
【図６】
2014032212.tif 000012
【図７】
2014032212.tif 000013
【図８】
2014032212.tif 000014
【図９】
2014032212.tif 000015
【図１０】
2014032212.tif 000016
【図１１】
2014032212.tif 000017
【図１２】
2014032212.tif 000018